(57)【要約】 【課題】  １回の通話が断続的に複数回録音される場合、各録音がどの通話の録音であるかを示すことができる電話装置を提供する。【解決手段】  制御装置１１は、録音ボタン１６１によって録音の開始が指示されてから停止が指示されるまでの通話の録音を録音再生装置１４に指示する。録音再生装置１４は、通話情報と識別情報とを関連付けて、音声記憶装置１５に記憶させる。再生ボタン１６２によって再生の開始が指示されると、録音の再生を録音再生装置１４に指示する。録音再生装置１４は、音声記憶装置１５に記憶させた通話情報を、ハンドセット１３および網制御装置１２に送るとともに、再生している通話情報に関連付けられた識別情報を、制御装置１１に送る。制御装置１１は、カウント情報を生成し、録音再生装置１４から受け取った識別情報に付加して、表示装置１７に表示する。【選択図】      図１
2007306340.tif 000002
【特許請求の範囲】
【請求項１】
通話相手と回線が接続されてから切断されるまでの通話期間の通話において通話相手と送受信される通話情報のうちの少なくとも一部の通話情報と、１つの通話期間の通話を他の通話期間の通話と識別するための通話識別情報とを記憶するための記憶手段と、
記憶手段に記憶される通話情報を再生する再生手段と、
通話情報の記憶開始を指示するための記憶開始指示情報、通話情報の記憶停止を指示するための記憶停止指示情報、および通話情報の再生を指示するための再生指示情報を入力する入力手段と、
通話識別情報を出力する識別情報出力手段と、
制御手段であって、
各通話期間において、通話相手と回線が接続されたときまたは入力手段によって記憶開始指示情報が初めて入力されたとき、その通話期間の通話を識別するための通話識別情報を生成し、
各通話期間において入力手段によって記憶開始指示情報が入力される度に、入力手段によって記憶開始指示情報が入力されてから引続いて入力手段によって記憶停止指示情報が入力されるまでの部分通話期間の通話情報を記憶手段によって記憶させ、その部分通話期間中にまたはその部分通話期間が終了した後に、その部分通話期間を含む通話期間の通話識別情報を、前記記憶させる通話情報に関連付けて記憶手段によって記憶させ、
さらに入力手段によって再生指示情報が入力されると、記憶手段によって記憶される通話情報を再生手段によって再生させるとともに、再生される通話情報に関連付けて記憶手段によって記憶される通話識別情報を識別情報出力手段によって出力させる制御手段とを含むことを特徴とする電話装置。
【請求項２】
前記入力手段は、前記記憶手段によって記憶される通話識別情報の出力を指示する出力指示情報をさらに入力し、
前記制御手段は、入力手段によって出力指示情報が入力されると、記憶手段によって記憶されるすべての通話識別情報を、前記識別情報出力手段によって出力させることを特徴とする請求項１に記載の電話装置。
【請求項３】
前記識別情報出力手段は、前記記憶手段によって記憶される通話情報のうち同じ通話識別情報に関連付けられた通話情報をそれぞれ識別するための通話情報識別情報をさらに出力し、
前記制御手段は、前記再生される通話情報について通話情報識別情報を生成し、生成した通話情報識別情報を、前記再生される通話情報に関連付けて記憶手段によって記憶される通話識別情報に付加して、識別情報出力手段によって出力させることを特徴とする請求項１に記載の電話装置。
【請求項４】
前記通話情報識別情報は、各通話期間において各通話情報が記憶された順番を表す情報であることを特徴とする請求項３に記載の電話装置。
【請求項５】
前記入力手段は、前記記憶手段によって記憶される通話識別情報の出力を指示する出力指示情報をさらに入力し、
前記制御手段は、入力手段によって出力指示情報が入力されると、記憶手段によって記憶されるすべての通話情報について通話情報識別情報を生成し、生成した通話情報識別情報を各通話情報の通話識別情報に付加して前記識別情報出力手段によって出力させることを特徴とする請求項４に記載の電話装置。
【請求項６】
前記入力手段は、前記記憶手段によって記憶される通話情報の消去を指示する消去指示情報をさらに入力し、
前記制御手段は、前記再生手段によって通話情報を再生しているときに、入力手段によって消去指示情報が入力されると、再生手段によって再生中の通話情報を記憶手段から消去し、または記憶手段に記憶される通話情報のうち再生中の通話情報と同じ通話識別情報に関連付けられたすべての通話情報を消去することを特徴とする請求項１に記載の電話装置。
【請求項７】
前記制御手段は、入力手段によって記憶開始指示情報が入力された後入力手段によって記憶停止指示情報が入力されない場合は、入力手段によって記憶開始指示情報が入力されてから通話相手と回線が切断されるまでの第２の部分通話期間の通話情報を記憶手段によって記憶させ、その第２の部分通話期間中にまたはその第２の部分通話期間が終了した後に、その第２の部分通話期間を含む通話期間の通話識別情報を前記記憶させる通話情報に関連付けて記憶手段によって記憶させることを特徴とする請求項１に記載の電話装置。
【発明の詳細な説明】
【技術分野】
【０００１】
本発明は、録音および再生機能を備えた電話装置に関する。
【背景技術】
【０００２】
電話装置たとえば電話機は、留守番電話機能を有する場合、伝言メッセージを録音することができ、この録音機能を用いて、通話の音声を録音可能にしたものがある。
【０００３】
留守番電話機能を有する従来の技術として、画像通信装置がある。この画像通信装置は、通信回線から受信した画情報を記録手段によって記録紙に印刷記録させる画像受信機能を有し、留守番電話機能によって、通信回線から電話の着信があった場合に、発呼者からの用件メッセージを録音、または発呼者に対し予め録音された伝言メッセージを送出することができる。さらに、メッセージが録音されたときの日時データを、発呼者による用件メッセージが発呼者への伝言メッセージであるか否かを示す録音種別データとともに、データ記憶手段に記憶し、そのデータ記憶手段に記憶されたデータを、画像受信機能の記録手段によって記録紙に印刷記録させることができる。メッセージが録音された録音時刻と、そのメッセージが伝言メッセージであるか否かを一覧可能に印刷し、伝言メッセージの状況をわかりやすくするものである（たとえば特許文献１参照）。
【０００４】
【特許文献１】特許第２８１３６６０号公報
【発明の開示】
【発明が解決しようとする課題】
【０００５】
上述した従来の技術は、メッセージ毎に録音時刻を記憶しておくものである。しかしながら、録音時刻を記憶することを通話の録音に適用しても、１回の通話で音声を断続的に複数回録音する場合、録音毎の時刻を知ることはできるが、各録音がどの通話の録音であるかを知ることができないという問題がある。
【０００６】
本発明の目的は、１回の通話が断続的に複数回録音される場合、各録音がどの通話の録音であるかを示すことができる電話装置を提供することである。
【課題を解決するための手段】
【０００７】
本発明は、通話相手と回線が接続されてから切断されるまでの通話期間の通話において通話相手と送受信される通話情報のうちの少なくとも一部の通話情報と、１つの通話期間の通話を他の通話期間の通話と識別するための通話識別情報とを記憶するための記憶手段と、
記憶手段に記憶される通話情報を再生する再生手段と、
通話情報の記憶開始を指示するための記憶開始指示情報、通話情報の記憶停止を指示するための記憶停止指示情報、および通話情報の再生を指示するための再生指示情報を入力する入力手段と、
通話識別情報を出力する識別情報出力手段と、
制御手段であって、
各通話期間において、通話相手と回線が接続されたときまたは入力手段によって記憶開始指示情報が初めて入力されたとき、その通話期間の通話を識別するための通話識別情報を生成し、
各通話期間において入力手段によって記憶開始指示情報が入力される度に、入力手段によって記憶開始指示情報が入力されてから引続いて入力手段によって記憶停止指示情報が入力されるまでの部分通話期間の通話情報を記憶手段によって記憶させ、その部分通話期間中にまたはその部分通話期間が終了した後に、その部分通話期間を含む通話期間の通話識別情報を前記記憶させる通話情報に関連付けて記憶手段によって記憶させ、
さらに入力手段によって再生指示情報が入力されると、記憶手段によって記憶される通話情報を再生手段によって再生させるとともに、再生される通話情報に関連付けて記憶手段によって記憶される通話識別情報を識別情報出力手段によって出力させる制御手段とを含むことを特徴とする電話装置である。
【０００８】
本発明に従えば、記憶手段によって、通話相手と回線が接続されてから切断されるまでの通話期間の通話において通話相手と送受信される通話情報のうちの少なくとも一部の通話情報と、１つの通話期間の通話を他の通話期間の通話と識別するための通話識別情報とが記憶され、再生手段によって、記憶手段に記憶される通話情報が再生され、入力手段によって、通話情報の記憶開始を指示するための記憶開始指示情報、通話情報の記憶停止を指示するための記憶停止指示情報、および通話情報の再生を指示するための再生指示情報が入力され、識別情報出力手段によって、通話識別情報が出力される。さらに、制御手段によって、各通話期間において、通話相手と回線が接続されたときまたは入力手段によって記憶開始指示情報が初めて入力されたとき、その通話期間の通話を識別するための通話識別情報が生成され、各通話期間において入力手段によって記憶開始指示情報が入力される度に、入力手段によって記憶開始指示情報が入力されてから入力手段によって記憶停止指示情報が入力されるまでの部分通話期間の通話情報が記憶手段によって記憶され、その部分通話期間中にまたはその部分通話期間が終了した後に、その部分通話期間を含む通話期間の通話識別情報が前記記憶される通話情報に関連付けられて記憶手段によって記憶される。さらに入力手段によって再生指示情報が入力されると、記憶手段によって記憶される通話情報が再生手段によって再生されるとともに、再生される通話情報に関連付けて記憶手段によって記憶される通話識別情報が識別情報出力手段によって出力されるので、１回の通話が断続的に複数回録音つまり記憶される場合、各録音つまり各通話情報がどの通話の録音であるかを示すことができる。
【０００９】
また本発明は、前記入力手段は、前記記憶手段によって記憶される通話識別情報の出力を指示する出力指示情報をさらに入力し、
前記制御手段は、入力手段によって出力指示情報が入力されると、記憶手段によって記憶されるすべての通話識別情報を、前記識別情報出力手段によって出力させることを特徴とする。
【００１０】
本発明に従えば、入力手段によって、記憶手段によって記憶される通話識別情報の出力を指示する出力指示情報がさらに入力され、制御手段によって、入力手段によって出力指示情報が入力されると、記憶手段によって記憶されるすべての通話識別情報が、識別情報出力手段によって出力されるので、記憶手段に記憶されている録音つまり通話情報が、どの通話のものであるかを示すことができる。
【００１１】
また本発明は、前記識別情報出力手段は、前記記憶手段によって記憶される通話情報のうち同じ通話識別情報に関連付けられた通話情報をそれぞれ識別するための通話情報識別情報をさらに出力し、
前記制御手段は、前記再生される通話情報について通話情報識別情報を生成し、生成した通話情報識別情報を、前記再生される通話情報に関連付けて記憶手段によって記憶される通話識別情報に付加して、識別情報出力手段によって出力させることを特徴とする。
【００１２】
本発明に従えば、識別情報出力手段によって、記憶手段によって記憶される通話情報のうち同じ通話識別情報に関連付けられた通話情報をそれぞれ識別するための通話情報識別情報がさらに出力され、制御手段によって、前記再生される通話情報について通話情報識別情報が生成され、生成された通話情報識別情報が前記再生される通話情報に関連付けて記憶手段によって記憶される通話識別情報に付加されて、識別情報出力手段によって出力されるので、１回の通話が複数回の録音つまり通話情報で録音つまり記憶される場合、各録音がどの通話のどの録音であるかを示すことができる。
【００１３】
また本発明は、前記通話情報識別情報は、各通話期間において各通話情報が記憶された順番を表す情報であることを特徴とする。
【００１４】
本発明に従えば、通話情報識別情報は、各通話期間において各通話情報が記憶された順番を表す情報であるので、再生されている録音つまり通話情報がどの通話の何番目の録音であるかを示すことができる。
【００１５】
また本発明は、前記入力手段は、前記記憶手段によって記憶される通話識別情報の出力を指示する出力指示情報をさらに入力し、
前記制御手段は、入力手段によって出力指示情報が入力されると、記憶手段によって記憶されるすべての通話情報について通話情報識別情報を生成し、生成した通話情報識別情報を各通話情報の通話識別情報に付加して前記識別情報出力手段によって出力させることを特徴とする。
【００１６】
本発明に従えば、入力手段によって、記憶手段によって記憶される通話識別情報の出力を指示する出力指示情報がさらに入力され、制御手段によって、入力手段によって出力指示情報が入力されると、記憶手段によって記憶されるすべての通話情報について通話情報識別情報が生成され、生成された通話情報識別情報が各通話情報の通話識別情報に付加されて識別情報出力手段によって出力されるので、記憶手段に記憶されている録音つまり通話情報が、どの通話の何番目のものであるかを示すことができる。
【００１７】
また本発明は、前記入力手段は、前記記憶手段によって記憶される通話情報の消去を指示する消去指示情報をさらに入力し、
前記制御手段は、前記再生手段によって通話情報を再生しているときに、入力手段によって消去指示情報が入力されると、再生手段によって再生中の通話情報を記憶手段から消去し、または記憶手段に記憶される通話情報のうち再生中の通話情報と同じ通話識別情報に関連付けられたすべての通話情報を消去することを特徴とする。
【００１８】
本発明に従えば、入力手段によって、記憶手段によって記憶される通話情報の消去を指示する消去指示情報がさらに入力され、制御手段によって、再生手段によって通話情報が再生されているときに、入力手段によって消去指示情報が入力されると、再生手段によって再生中の通話情報が記憶手段から消去され、または記憶手段に記憶される通話情報のうち再生中の通話情報と同じ通話識別情報に関連付けられたすべての通話情報が消去されるので、不要になった通話情報または１つの通話期間での複数の録音を漏れなく消去することができる。
【００１９】
また本発明は、前記制御手段は、入力手段によって記憶開始指示情報が入力された後入力手段によって記憶停止指示情報が入力されない場合は、入力手段によって記憶開始指示情報が入力されてから通話相手と回線が切断されるまでの第２の部分通話期間の通話情報を記憶手段によって記憶させ、その第２の部分通話期間中にまたはその第２の部分通話期間が終了した後に、その第２の部分通話期間を含む通話期間の通話識別情報を前記記憶させる通話情報に関連付けて記憶手段によって記憶させることを特徴とする。
【００２０】
本発明に従えば、制御手段によって、入力手段によって記憶開始指示情報が入力された後入力手段によって記憶停止指示情報が入力されない場合は、入力手段によって記憶開始指示情報が入力されてから通話相手と回線が切断されるまでの第２の部分通話期間の通話情報が記憶手段によって記憶され、その第２の部分通話期間中にまたはその第２の部分通話期間が終了した後に、その第２の部分通話期間を含む通話期間の通話識別情報を前記記憶させる通話情報に関連付けて記憶手段によって記憶されるので、録音中に通話が切断された場合も通話情報は記憶される。
【発明の効果】
【００２１】
本発明によれば、１回の通話が断続的に複数回録音つまり記憶される場合、各録音つまり各通話情報がどの通話の録音であるかを示すことができるので、再生される録音の通話を特定することができ、たとえば再生する録音の通話が、１つ前に再生した録音の通話と同じ通話か否かを判断することができる。
【００２２】
また本発明によれば、記憶手段に記憶されている録音つまり通話情報が、どの通話のものであるかを示すことができるので、１つの通話での録音のまとまりがわかり、録音再生時の利便性が向上する。
【００２３】
また本発明によれば、１回の通話が複数回の録音つまり通話情報で録音つまり記憶される場合、各録音がどの通話のどの録音であるかを示すことができるので、１つの通話に含まれる個々の録音を特定することができる。
【００２４】
また本発明によれば、再生されている録音つまり通話情報がどの通話の何番目の録音であるかを示すことができるので、再生する録音の通話が、その通話の何番目の通話であるかがわかる。
【００２５】
また本発明によれば、記憶手段に記憶されている録音つまり通話情報が、どの通話の何番目のものであるかを示すことができるので、１つの通話での録音のまとまりと順序とがわかり、録音再生時の利便性が向上する。
【００２６】
また本発明によれば、不要になった通話情報または１つの通話期間での複数の録音を漏れなく消去することができるので、記憶手段には必要な録音のみを残すことができ、録音再生時の利便性が向上する。
【００２７】
また本発明によれば、録音中に通話が切断された場合も通話情報は記憶されるので、録音の停止指示を行う前に回線が切断されても、その通話を残すことができる。
【発明を実施するための最良の形態】
【００２８】
図１は、本発明の実施の一形態である電話機１の概略の構成を模式的に示す。電話装置である電話機１は、制御装置１１、網制御装置１２、ハンドセット１３、録音再生装置１４、音声記憶装置１５、入力装置１６、および表示装置１７を含む。
【００２９】
制御装置１１は、たとえばＣＰＵ（Central Processing Unit）などの中央処理装置および半導体メモリなどの記憶装置によって構成され、中央処理装置が記憶装置に記憶されるプログラムを実行することによって、網制御装置１２、ハンドセット１３、録音再生装置１４、入力装置１６、および表示装置１７を制御する。網制御装置１２は、たとえばアナログスイッチおよびミキシング部によって構成され、網つまり電話回線網を介して電話交換局と接続され、電話機１と電話交換局との通信を制御し、通話情報を送受信する。ハンドセット１３は、利用者が通話するための送受話器であり、マイクとスピーカとを含む。送受話器は、必ずしもハンドセット１３である必要はなく、たとえばスピーカホンなどマイクとスピーカを有するものであればよい。
【００３０】
録音再生装置１４は、通話を録音および再生する装置である。録音の場合、制御装置１１を介して、網制御装置１２およびハンドセット１３から送られてくる通話情報を音声記憶装置１５に書き込み記憶させる。再生の場合、音声記憶装置１５に記憶される通話情報を読み出し、制御装置１１を介して、網制御装置１２あるいはハンドセット１３に送る。録音再生装置１４は、さらに、制御装置１１から指示される情報たとえば識別情報を音声記憶装置１５に書き込み、あるいは音声記憶装置１５から読み出した情報を制御装置１１に送る。識別情報は、通話相手と回線が接続されてから切断されるまでの通話期間の通話を他の通話期間の通話と識別するための識別情報であり、１つの通話期間において初めて録音が指示される度に制御装置１１によって生成される。
【００３１】
音声記憶装置１５は、たとえば半導体メモリ、ハードディスク装置、あるいは磁気テープ装置などの記憶装置によって構成され、録音再生装置１４から指示される情報を記憶する。入力装置１６は、たとえば操作パネルによって構成され、通話の録音の開始または停止を指示する録音ボタン１６１、録音の再生の開始または停止を指示する再生ボタン１６２、および記号「＊」および「＃」ならびに数字を入力する操作ボタン群１６３を含む。録音ボタン１６１は、録音中でないときに押されると、録音の開始を指示し、録音中に押されると、録音の停止を指示する。再生ボタン１６２は、再生中でないときに押されると、再生の開始を指示し、再生中に押されると、再生の停止を指示する。入力装置１６は、各ボタンによって入力された情報、たとえば録音の開始の場合は記憶開始指示情報、録音の停止の場合は記憶停止指示情報、および録音の再生の場合は再生指示情報を制御装置１１に送る。表示装置１７は、たとえば液晶ディスプレイなどによって構成され、制御装置１１から指示される情報を表示する。
【００３２】
制御装置１１は、録音ボタン１６１によって録音の開始が指示されると、つまり記憶開始指示情報を受け取ると、通話の録音を録音再生装置１４に指示する。さらにその通話の通話期間において初めて録音の開始が指示されたときは、その通話が行われる通話期間の通話の識別情報を生成し、生成した識別情報を録音再生装置１４に送る。録音再生装置１４は、制御装置１１から通話の録音を指示されると、網制御装置１２およびハンドセット１３から送られてくる通話情報を音声記憶装置１５に書き込み記憶させる。そのとき、音声記憶装置１５に記憶させる通話情報に関連付けて、制御装置１１から受け取った識別情報を音声記憶装置１５に記憶させる。制御装置１１は、録音ボタン１６１によって録音の開始が指示された後、録音ボタン１６１によって録音の停止が指示されると、つまり記憶停止指示情報を受け取ると、または録音ボタン１６１によって録音の開始が指示された後、録音ボタン１６１によって録音の停止が指示されることなく通話相手との回線が切断されると、通話の録音の停止を録音再生装置１４に指示する。
【００３３】
さらに制御装置１１は、再生ボタン１６２によって再生の開始が指示されると、つまり再生指示情報を受け取ると、録音の再生を録音再生装置１４に指示する。録音再生装置１４は、音声記憶装置１５に記憶させた通話情報を網制御装置１２およびハンドセット１３に送る。その際、録音再生装置１４は、再生している通話情報に関連付けられた識別情報を読み出して、制御装置１１に送る。制御装置１１は、録音再生装置１４から受け取った識別情報を、表示装置１７に表示する。利用者は、表示装置１７に表示される識別情報によって、再生中の録音がどの通話期間の通話のものであるかを把握することができる。さらに制御装置１１は、識別情報を表示する際、録音毎にカウント情報を生成し、識別情報に付加して、表示装置１７に表示させる。カウント情報は、１つの通話期間の中での複数の録音をそれぞれ識別するための通話情報識別情報であり、制御装置１１によって録音毎に生成される。「録音」は、通話情報を記憶手段に記憶することを示すが、この場合のように、録音されたもの、つまり録音の開始指示から停止指示までの部分通話期間に記憶手段に記憶された通話情報のことも「録音」という。
【００３４】
図２は、図１に示した電話機１の通話処理を示すフローチャートである。電話機１の電源が投入されて、電話機１が動作可能になるとステップＡ１に移る。
【００３５】
ステップＡ１では、識別情報を「０」とする。すなわち制御装置１１は、１つの通話期間の通話を他の通話期間の通話と識別するための識別情報を初期化する。ステップＡ２では、網制御装置１２から通話相手と回線が接続されたことを知らされると、図３で詳述する通話処理を行う。通話期間は、通話相手に回線が接続されてから切断されるまで期間のである。通話が終了すると、つまり回線が切断されると、次の通話に備えてステップＡ２に戻る。
【００３６】
図３は、図２に示した通話処理での録音処理を示すフローチャートである。図２に示したステップＡ２から呼び出されると、ステップＢ１に移る。
【００３７】
ステップＢ１では、識別情報に「１」を加えて新たな識別情報とする。すなわち、制御装置１１は、識別情報を１つ更新する。ステップＢ２では、録音操作が行なわれたか否かを判定する。すなわち入力装置１６から、録音中でないときに録音ボタン１６１が押されたことが知らされると、録音操作が行われたと判定する。録音操作が行われると、ステップＢ４に進み、録音操作が行われないと、ステップＢ３に進む。ステップＢ３では、通話が終了したか否かを判定する。網制御装置１２から回線が切断されたことを知らされると、通話が終了したと判定する。通話が終了すると、処理を終了し、通話が終了していないと、ステップＢ２に戻る。
【００３８】
ステップＢ４では、制御装置１１は、通話の録音を録音再生装置１４に指示する。その際ステップＢ１で更新した識別情報も録音再生装置１４に送る。録音再生装置１４は、網制御装置１２およびハンドセット１３から送られてくる通話情報を音声記憶装置１５に書き込み記憶させる。ステップＢ５では、録音再生装置１４は、音声記憶装置１５に記憶させる通話情報に関連付けて、制御装置１１から受け取った識別情報を音声記憶装置１５に記憶させる。録音の停止が指示されると、たとえば録音中に録音ボタン１６１が押されたことが入力装置１６から知らされると、あるいは回線が切断されたことが網制御装置１２から知らされると、ステップＢ３に進む。
【００３９】
図３に示したフローチャートでは、識別情報の更新を、ステップＢ１つまり通話を開始したときに行っているが、ステップＢ４の処理で、その通話の通話期間において初めての録音操作があったときに行うようにしてもよい。ステップＢ１で更新すると、録音が行われなかった通話にも識別情報が与えられるので、録音されている通話情報の識別情報が連続しない場合がある。しかし、ステップＢ４で処理すれば、録音された通話情報の識別情報が連続しないということはない。
【００４０】
図４は、図１に示した表示装置１７に表示される録音再生時の表示の例を示す。表示装置１７には、何件目の録音であるかを示す情報、再生中であることを示す情報「再生中」、識別情報、および録音日時を示す情報が表示される。録音日時は、たとえば録音を開始した日時である。
【００４１】
図４（ａ）に示した表示は、１件目の録音を再生しているときに、表示装置１７に表示されるものであり、１件目であることを示す「１件目」、再生中であることを示す情報「再生中」、識別情報が「１」であることを示す「識別情報１」、および録音日時が２００５年１０月１日９時であることを示す「録音日時２００５年１０月１日９：００」が示されている。図４（ｂ）は、２件目の録音を再生しているときの表示であり、「２件目」、「再生中」、「識別情報２」、および「録音日時２００５年１０月２日１３：３０」が示されている。図４（ｃ）は、３件目の録音を再生しているときの表示であり、「３件目」、「再生中」、「識別情報２」、および「録音日時２００５年１０月２日１３：３５」が示されている。図４（ｄ）は、４件目の録音を再生しているときの表示であり、「４件目」、「再生中」、「識別情報３」、および「録音日時２００５年１０月２日１５：３０」が示されている。２件目の録音および３件目の録音は、識別情報がともに「２」である。つまり同じ通話期間での録音であることがわかる。
【００４２】
図５は、図１に示した表示装置１７に表示される管理情報の一例を示す。管理情報は、識別情報をまとめて管理するための情報であり、音声記憶装置１５に記憶させる。この例では、識別情報のほかに、録音の順番を表す情報および録音日時が示されている。録音日時は、たとえば録音再生装置１４が録音つまり記憶を開始したときの日時を示す情報である。録音再生装置１４は、制御装置１１から受け取った識別情報を音声記憶装置１５に記憶させる際、録音日時を示す情報を録音の順番を表す情報とともに、識別情報に付加して、管理情報として音声記憶装置１５に記憶させる。
【００４３】
管理情報は、たとえば入力装置１６から表示要求があると、制御装置１１は、録音再生装置１４を介して、音声記憶装置１５に記憶されている管理情報を読み出して、読み出した管理情報に含まれるすべての識別情報を表示装置１７に表示する。入力装置１６からの表示要求は、たとえば管理情報を表示させるためのメニューを表示装置１７に表示し、操作ボタン群１６３の操作ボタンによって、そのメニューを選択させることによって指示させる。この表示は、再生中でも、再生を行っていないときでも、表示可能である。あるいは、管理情報を図４に示した録音再生時の表示とともに表示してもよい。
【００４４】
図５に示した管理情報は、最上段に、管理情報であることを示す「管理情報」、次の段に、録音の順番を表す「Ｎｏ」、録音日時を表す「日時」、および「識別情報」の３つの項目が示され、３段目以降に、録音毎のＮｏ、日時、および識別情報が示される。
【００４５】
図５に示した管理情報には、１件目の録音として、Ｎｏ「１」、日時「２００５年１０月１日９：００」、および識別情報「１」が示され、２件目の録音として、Ｎｏ「２」、日時「２００５年１０月２日１３：３０」、および識別情報「２」が示され、３件目の録音として、Ｎｏ「３」、日時「２００５年１０月２日１３：３５」、および識別情報「２」が示され、４件目の録音として、Ｎｏ「４」、日時「２００５年１０月２日１５：３０」、および識別情報「３」が示されている。
【００４６】
図６は、図１に示した電話機１の再生処理の一例を示すフローチャートである。入力装置１６の再生ボタン１６２が押されることによって再生の開始が指示されると、制御装置１１は、録音再生装置１４に録音の再生を指示し、ステップＣ１に進む。
【００４７】
ステップＣ１では、カウンタｎを「１」とし、初期化する。カウンタｎは、何件目の録音であるかをカウントするためのカウンタである。ステップＣ２では、再生済識別情報ｓを「１」、およびカウンタｓｕｂを「０」とし、初期化する。再生済識別情報ｓは、１つ前に再生された録音の識別情報を示し、カウンタｓｕｂは、１つの通話の中で何番目の録音であるかをカウントするためのカウンタである。
【００４８】
ステップＣ３では、ｎ件目のデータがあるか否かを判定する。すなわち、ｎ件目のデータつまり通話情報が音声記憶装置１５に記憶されているか否かを録音再生装置１４に問い合わせ、録音再生装置１４からｎ件目の通話情報が記憶されていることが知らされると、ｎ件目のデータがあると判定する。ｎ件目のデータがあると、ステップＣ４に進み、ｎ件目のデータがないと、終了する。ステップＣ４では、ｎ件目の録音を再生する。すなわち録音再生装置１４に、音声記憶装置１５に記憶されているｎ件目の録音つまり通話情報を再生させる。録音ステップＣ５では、カウンタｎに「１」を加えて新たなｎとし、ステップＣ３に戻る。すなわち、カウンタｎを更新し、次の録音を再生するめに、ステップＣ３に戻る。
【００４９】
図７は、図６に示した再生処理での識別情報表示処理を示すフローチャートである。図６に示したステップＣ４から呼び出されると、ステップＤ１に移る。
【００５０】
ステップＤ１では、再生済識別情報ｓがｎ件目の識別情報に一致するか否かを判定する。すなわち１つ前に再生した録音の識別情報と、再生中の録音の識別情報が一致するか否かを、音声記憶装置１５に記憶されている管理情報に基づいて判定する。再生済識別情報ｓがｎ件目の識別情報に一致すると、ステップＤ５に進み、再生済識別情報ｓがｎ件目の識別情報に一致しないと、ステップＤ２に進む。ステップＤ２では、カウンタｓｕｂを「１」に初期化する。ステップＤ３では、再生済識別情報ｓをｎ件目の識別情報とする。すなわち１つ前に再生した録音の識別情報を再生中の録音の識別情報とする。ステップＤ４では、再生中の表示データ、たとえば「ｎ件目」、「識別情報ｓ−ｓｕｂ」、および「日時」を表す情報を作成して、表示装置１７によって表示し、終了する。ステップＤ５では、カウンタｓｕｂに「１」を加えて新たなｓｕｂとし、ステップＤ３に進む。すなわち、カウンタｓｕｂ、つまり１つの通話の中での順番を更新し、ステップＤ３に進む。
【００５１】
図８は、図７に示した識別情報表示処理によって表示される録音再生時の表示の例を示す。図８に示した表示の例は、図４に示した表示の例と、識別情報が異なるだけで、他の情報は同じであり、説明は重複を避けるために省略する。図４に示した表示の識別情報は、通話を識別するための識別情報のみであるが、図８に示した表示の識別情報は、通話を識別するための識別情報に、通話内での録音の順番を表すカウント情報が付加されている。
【００５２】
図８（ａ）に示した識別情報は、「１−１」であり、識別情報が「１」で、カウント情報が「１」であることを示している。図８（ｂ）に示した識別情報は、「２−１」であり、識別情報が「２」で、カウント情報が「１」であることを示している。図８（ｃ）に示した識別情報は、「２−２」であり、識別情報が「２」で、カウント情報が「２」であることを示している。図８（ｄ）に示した識別情報は、「３−１」であり、識別情報が「３」で、カウントが情報「１」であることを示している。
【００５３】
図９は、図１に示した表示装置１７に表示される管理情報の他の例を示す。図９に示した管理情報は、図５に示した管理情報の表示の識別情報に代えて、図７に示した識別情報表示処理によって表示される識別情報を表示するようにしたものである。すなわち、図９に示した管理情報は、通話を識別するための識別情報に、通話内での録音の順番を表すカウント情報が付加されている。制御装置１１は、識別情報に付加するカウント情報を、図６および図７に示した処理と同じ処理を行うことによって、カウント情報を生成し、生成したカウント情報を識別情報に付加して表示する。
【００５４】
図９に示した管理情報では、Ｎｏ「１」の録音の識別情報は、「１−１」であり、識別情報が「１」で、カウント情報が「１」であることを示している。Ｎｏ「２」の録音の識別情報は、「２−１」であり、識別情報が「２」で、カウント情報が「１」であることを示している。Ｎｏ「３」の録音の識別情報は、「２−２」であり、識別情報が「２」で、カウント情報が「２」であることを示している。Ｎｏ「４」の録音の識別情報は、「３−１」であり、識別情報が「３」で、カウントが情報「１」であることを示している。
【００５５】
図１０は、図１に示した電話機１の再生処理の他の例を示すフローチャートである。入力装置１６の再生ボタン１６２が押されることによって再生の開始が指示されると、制御装置１１は、録音再生装置１４に録音の再生を指示し、ステップＥ１に進む。
【００５６】
ステップＥ１では、カウンタｎを「１」およびカウンタｍを「１」とし、初期化する。カウンタｍは、何番目の通話であるかをカウントするためのカウンタである。ステップＥ２〜ステップＥ５は、それぞれ図６に示したステップＣ２〜ステップＣ５と同じであり、説明は重複を避けるために省略する。
【００５７】
図１１は、図１０に示した再生処理での識別情報表示処理を示すフローチャートである。図１１に示したステップＥ４から呼び出されると、ステップＦ１に移る。
【００５８】
ステップＦ１では、再生済識別情報ｓがｎ件目の識別情報に一致するか否かを判定する。再生済識別情報ｓがｎ件目の識別情報に一致すると、ステップＦ５に進み、再生済識別情報ｓがｎ件目の識別情報に一致しないと、ステップＦ２に進む。ステップＦ２では、カウンタｓｕｂを「１」に初期化するとともに、カウンタｍに「１」を加えて新たなｍとする。ステップＦ３では、再生済識別情報ｓをｎ件目の識別情報とする。ステップＦ４では、再生中の表示データ、たとえば「ｍ−ｓｕｂ件目」および「日時」を表す情報を作成して、表示装置１７によって表示し、終了する。ステップＦ５では、カウンタｓｕｂに「１」を加えて新たなｓｕｂとし、ステップＤ３に進む。
【００５９】
図１２は、図１１に示した識別情報表示処理によって表示される録音再生時の表示の例を示す。図１２に示した例では、何件目の通話でかつその通話の中で何番目の録音であるかを示す情報、再生中であることを示す情報「再生中」、および録音日時を示す情報が表示され、識別情報は表示されない。
【００６０】
図１２（ａ）に示した表示は、１件目の録音を再生しているときに、表示装置１７に表示されるものであり、１件目の通話の中で１番目の録音であることを示す「１−１件目」、再生中であることを示す情報「再生中」、および録音日時が２００５年１０月１日９時であることを示す「録音日時２００５年１０月１日９：００」が示されている。図１２（
ｂ）は、２件目の録音を再生しているときの表示であり、「２−１件目」、「再生中」、および「録音日時２００５年１０月２日１３：３０」が示されている。図１２（ｃ）は、３件目の録音を再生しているときの表示であり、「２−１件目」、「再生中」、および「録音日時２００５年１０月２日１３：３５」が示されている。図１２（ｄ）は、４件目の録音を再生しているときの表示であり、「３−１件目」、「再生中」、および「録音日時２００５年１０月２日１５：３０」が示されている。
【００６１】
上述した実施の形態では、識別情報およびカウント情報などを表示装置１７に表示したが、表示装置に限定されるものではなく、たとえばプリンタなどの印刷装置によって印刷してもよく、ファクシミリ装置から出力することができる出力装置であればよい。
【００６２】
さらに、入力装置１６に、録音を消去するための消去ボタンを設け、ユーザがその消去ボタンを操作することによって、音声記憶装置１５に記憶される通話情報の消去を可能にしてもよい。具体的には、制御装置１１は、録音再生装置１４が録音を再生しているときに、消去ボタンが押されると、つまり消去指示情報を受け取ると、録音再生装置１４に再生中の録音の消去を指示する。録音再生装置１４は、制御装置１１から録音の消去を指示されると、再生を停止し、再生中であった通話情報を音声記憶装置１５から消去する。
【００６３】
あるいは、再生中の通話情報を消去するか、再生中の通話情報と同じ通話期間に録音されたすべての通話情報を消去するかを選択することができるようにしてもよい。具体的には、録音再生装置１４が録音を再生しているときに、消去ボタンが押されると、制御装置１１は、再生中の通話情報を消去するか、再生中の通話情報と同じ通話期間に録音されたすべての通話情報を消去するかを選択させるためのメニューを表示装置１７に表示し、ユーザに再生中の通話情報を消去するか、再生中の通話情報と同じ通話期間に録音されたすべての通話情報を消去するかを選択させる。制御装置１１は、ユーザによって選択された指示を録音再生装置１４に送る。録音再生装置１４は、制御装置１１から再生中の通話情報を消去する指示を受け取ると、再生を停止し、再生中であった通話情報を音声記憶装置１５から消去する。あるいは録音再生装置１４は、制御装置１１から再生中の通話情報と同じ通話期間に録音されたすべての通話情報を消去する指示を受け取ると、再生を停止し、再生中であった通話情報と同じ識別情報の通話情報を音声記憶装置１５から消去する。
【００６４】
このように、記憶手段である音声記憶装置１５によって、通話相手と回線が接続されてから切断されるまでの通話期間の通話において通話相手と送受信される通話情報のうちの少なくとも一部の通話情報と、１つの通話期間の通話を他の通話期間の通話と識別するための通話識別情報たとえば識別情報とが記憶され、再生手段たとえば録音再生装置１４によって、記憶手段に記憶される通話情報が再生され、入力手段である入力装置１６によって、通話情報の記憶開始を指示するための記憶開始指示情報、通話情報の記憶停止を指示するための記憶停止指示情報、および通話情報の再生を指示するための再生指示情報が入力され、識別情報出力手段たとえば表示装置１７によって、通話識別情報が出力される。さらに、制御手段である制御装置１１によって、各通話期間において、通話相手と回線が接続されたときまたは入力手段によって記憶開始指示情報が初めて入力されたとき、その通話期間の通話を識別するための通話識別情報が生成され、各通話期間において入力手段によって記憶開始指示情報が入力される度に、入力手段によって記憶開始指示情報が入力されてから入力手段によって記憶停止指示情報が入力されるまでの部分通話期間の通話情が記憶手段によって記憶され、その部分通話期間中にまたはその部分通話期間が終了した後に、その部分通話期間を含む通話期間の通話識別情報が前記記憶される通話情報に関連付けられて記憶手段によって記憶される。さらに入力手段によって再生指示情報が入力されると、記憶手段によって記憶される通話情報が再生手段によって再生されるとともに、再生される通話情報に関連付けて記憶手段によって記憶される通話識別情報が識別情報出力手段によって出力されるので、１回の通話が断続的に複数回録音つまり記憶される場合、各録音つまり各通話情報がどの通話の録音であるかを示すことができる。したがって、再生される録音の通話を特定することができ、たとえば再生する録音の通話が、１つ前に再生した録音の通話と同じ通話か否かを判断することができる。
【００６５】
さらに、入力手段である入力装置１６によって、記憶手段である音声記憶装置１５によって記憶される通話識別情報たとえば識別情報の出力を指示する出力指示情報がさらに入力され、制御手段である制御装置１１によって、入力手段によって出力指示情報が入力されると、記憶手段によって記憶されるすべての通話識別情報が、識別情報出力手段たとえば表示装置１７によって出力されるので、記憶手段に記憶されている録音つまり通話情報が、どの通話のものであるかを示すことができる。したがって、１つの通話での録音のまとまりがわかり、録音再生時の利便性が向上する。たとえば録音を消去する際、１つの通話に含まれる複数の録音を漏れなく消去することができる。
【００６６】
さらにまた、識別情報出力手段たとえば表示装置１７によって、記憶手段である音声記憶装置１５によって記憶される通話情報のうち同じ通話識別情報たとえば識別情報に関連付けられた通話情報をそれぞれ識別するための通話情報識別情報たとえばカウント情報がさらに出力され、制御手段である制御装置１１によって、前記再生される通話情報について通話情報識別情報が生成され、生成された通話情報識別情報が前記再生される通話情報に関連付けて記憶手段によって記憶される通話識別情報に付加されて、識別情報出力手段によって出力されるので、１回の通話が複数回の録音つまり通話情報で録音つまり記憶される場合、各録音がどの通話のどの録音であるかを示すことができる。したがって、１つの通話に含まれる個々の録音を特定することができる。
【００６７】
さらに、通話情報識別情報たとえばカウント情報は、各通話期間において各通話情報が記憶された順番を表す情報であるので、再生されている録音つまり通話情報がどの通話の何番目の録音であるかを示すことができる。したがって、再生する録音の通話が、その通話の何番目の通話であるかがわかる。
【００６８】
さらにまた、入力手段である入力装置１６によって、記憶手段である音声記憶装置１５によって記憶される通話識別情報たとえば識別情報の出力を指示する出力指示情報がさらに入力され、制御手段である制御装置１１によって、入力手段によって出力指示情報が入力されると、記憶手段によって記憶されるすべての通話情報について、通話情報識別情報たとえばカウント情報が生成され、生成された通話情報識別情報が各通話情報の通話識別情報に付加されて、識別情報出力手段たとえば表示装置１７によって出力されるので、記憶手段に記憶されている録音つまり通話情報が、どの通話の何番目のものであるかを示すことができる。したがって、１つの通話での録音のまとまりと順序とがわかり、録音再生時の利便性が向上する。
【００６９】
さらに、入力手段である入力装置１６によって、記憶手段である音声記憶装置１５によって記憶される通話情報の消去を指示する消去指示情報がさらに入力され、制御手段である制御装置１１によって、再生手段たとえば録音再生装置１４によって通話情報が再生されているときに、入力手段によって消去指示情報が入力されると、再生手段によって再生中の通話情報が記憶手段から消去され、または記憶手段に記憶される通話情報のうち再生中の通話情報と同じ通話識別情報に関連付けられたすべての通話情報が消去されるので、不要になった通話情報または１つの通話期間での複数の録音を漏れなく消去することができる。したがって、記憶手段には必要な録音のみを残すことができ、録音再生時の利便性が向上する。
【００７０】
さらにまた、制御手段によって、入力手段によって記憶開始指示情報が入力された後入力手段によって記憶停止指示情報が入力されない場合は、入力手段によって記憶開始指示情報が入力されてから通話相手と回線が切断されるまでの第２の部分通話期間の通話情報が記憶手段によって記憶され、その第２の部分通話期間中にまたはその第２の部分通話期間が終了した後に、その第２の部分通話期間を含む通話期間の通話識別情報を前記記憶させる通話情報に関連付けて記憶手段によって記憶されるので、録音中に通話が切断された場合も通話情報は記憶される。したがって、録音の停止指示を行う前に回線が切断されても、その通話を残すことができる。
【図面の簡単な説明】
【００７１】
【図１】本発明の実施の一形態である電話機１の概略の構成を模式的に示す。
【図２】図１に示した電話機１の通話処理を示すフローチャートである。
【図３】図２に示した通話処理での録音処理を示すフローチャートである。
【図４】図１に示した表示装置１７に表示される録音再生時の表示の例を示す。
【図５】図１に示した表示装置１７に表示される管理情報の一例を示す。
【図６】図１に示した電話機１の再生処理の一例を示すフローチャートである。
【図７】図６に示した再生処理での識別情報表示処理を示すフローチャートである。
【図８】図７に示した識別情報表示処理によって表示される録音再生時の表示の例を示す。
【図９】図１に示した表示装置１７に表示される管理情報の他の例を示す。
【図１０】図１に示した電話機１の再生処理の他の例を示すフローチャートである。
【図１１】図１０に示した再生処理での識別情報表示処理を示すフローチャートである。
【図１２】図１１に示した識別情報表示処理によって表示される録音再生時の表示の例を示す。
【符号の説明】
【００７２】
１  電話機１
１１  制御装置
１２  網制御装置
１３  ハンドセット
１４  録音再生装置
１５  音声記憶装置
１６  入力装置
１７  表示装置
１６１  録音ボタン
１６２  再生ボタン
１６３  操作ボタン群
【図１】
2007306340.tif 000003
【図２】
2007306340.tif 000004
【図３】
2007306340.tif 000005
【図４】
2007306340.tif 000006
【図５】
2007306340.tif 000007
【図６】
2007306340.tif 000008
【図７】
2007306340.tif 000009
【図８】
2007306340.tif 000010
【図９】
2007306340.tif 000011
【図１０】
2007306340.tif 000012
【図１１】
2007306340.tif 000013
【図１２】
2007306340.tif 000014